Podtech/llm-jp-corpus-v4-ja_patent huggingface dataset:
(57)【要約】【課題】牛のＢＳＥの問題、鳥インフルエンザの問題、鯉ヘルペスの問題、海洋汚染による魚介類の重金属汚染の問題、資源保護や採取制限の問題などで問題のある動物性タンパク質に代わる地球環境の変化による紫外線にも影響されない、穀物を中心にした安全で安価で安定した植物性タンパク質を用いて見掛けも食感も肉やステーキなどの動物性タンパク質と同じような色合いと食感を持った食品を開発することが課題。【解決方法】大豆と米や紫黒米など穀類を混合して加熱した後、粉砕しインジェクション方式で成型した製品を加圧成型し殺菌することにより出来る製品であり、見掛けや食感も肉と同じような感覚となり、また、使用するソースにより香りや味までも限りなく肉に近づけることが出来、長期の保存も可能な食品の製造方法である。【特許請求の範囲】
【請求項１】
大豆に穀類を加え肉やステーキと同じような色合いと食感を持った食品の製造方法
【請求項２】
請求項１で製造した食品
【請求項３】
請求項１、請求項２で製造した食品を使用して製造する加工食品
【発明の詳細な説明】
【技術分野】
【０００１】この発明は、大豆に穀類を加えて加工した加工食品の製造方法に関するものであり、動物性タンパク質に代わる安価で安全で安定して供給できる植物性タンパク質の食品の製造方法である。
【背景技術】
【０００２】動物性タンパク質に代わる安全で安価で安定して供給できる植物性タンパク質として大豆製品では、豆腐や納豆があり、従来の動物性タンパク質と比較した時、肉やステーキを食べるのとは見掛けも食感も異質なものである。
地球人口の増加に伴い、今後、動物性タンパク質の入手は困難になることが予想され、これ等に代わるものとして植物性タンパク質を用いて、従来の肉やステーキを食べるのと同じように見え、しかも同じような食感を持った、より安全で安価で安定供給できる良質の植物性タンパク質の製品を作ることが必要である。
【食品に対する環境】
【０００３】最近は動物性タンパク質に対する牛肉ＢＳＥの問題、鳥インフルエンザの問題、鯉ヘルペスの問題、海洋汚染による魚介類のダイオキシン、砒素などの重金属汚染の問題などで消費者の動物性タンパク質に対する警戒感などから消費者離れが見られより安全なタンパク質を求める声が高まっている。
さらに、資源保護という立場から採取制限や、鯨のように捕鯨禁止というようなことが起きている。
また一方で、肥満や健康上の問題が取り上げられるようになり、動物性タンパク質に代わるものとして高タンパク、低カロリーの植物性タンパク質を用いた食品が世界的にクローズアップされてきている。
【発明の開示】
【発明が解決しようとする課題】
【０００４】地球環境の変化によりオゾン層が破壊され紫外線の量が増加し人類や動物だけでなく、植物にも影響を与えることが予想される。【０００５】このような環境の変化の下で大豆や米などの殻に入った植物や地中で出来る根菜類は影響が少なく比較的安全な食品である。【０００６】こういった植物の中で特に大豆製品は古くから人類の食生活の中に溶け込んでおり、日本では豆腐、納豆、味噌などとして、植物性タンパク質の供給に欠かせないものとして、食生活に溶け込んでいる。【０００７】さらに、米などの穀類も人類の主食として安全な食べものとして広く食されている。【０００８】これらの安全で良質な植物性タンパク質を多く含んでいる大豆や穀類を使用して、肉やステーキなどの動物性タンパク質と見掛けも食感も同じ食品を開発することが課題である。【０００９】従来の製造方法は、豆腐をそのまま利用して、豆腐ステーキや、肉と混ぜたりするだけで、せいぜい、それに風味を添加した程度のものはあるが、見掛けも食感も肉やステーキとは異質である。
【課題を解決するための手段】
【００１０】そこで発明者は、大豆のタンパク質や脂質と穀類の多糖体及び脂質との融合結着性を活用することに注目した。【００１１】さらに発明者は、大豆や穀類を使用することにより、よりビジュアル感覚を発揮することに注目し、見掛けや食感までも肉やステーキに近づけることを可能にした。【００１２】また、見掛けだけでなく切断した時も肉やステーキに近づけるためにインジェクトシステムを用いて全体が肉やステーキと同様に見えることを可能にした。【００１３】具体的には、大豆と穀類を洗浄し、混合浸漬した後煮沸し、粉砕しインジェクション方式で成型し色合いが均等になるように調整した後、加圧成型し１００℃以上で殺菌する。ここで、大豆と穀類の種類と混合比率は、製品の種類により、色合いや食感を考慮して変更する。穀類としては紫黒米などの自然に色のついた穀類も使用する。また、製品の色合いが均等になるようにインジェクション方式を利用して成型する。【００１４】こうして出来た製品は、肉やステーキの風味を付けるために食する時にソースで調整する。【００１５】このようにして製造した食品は、見掛けも食感も肉やステーキに似たもとなり、また、食するときのソースにより香りや風味までもが、肉やステーキに近いものとすることが可能となる。
【発明の効果】
【００１６】本発明で出来た製品は、牛肉のＢＳＥの問題や鳥インフルエンザや海洋汚染などの心配のある動物性タンパク質に代わる安全で、安価で、安心して食することの出来る良質な植物性タンパク質の食品であり、将来の地球人口の増加に対しても安定して供給することが可能である。また、欧米などで問題となっている肥満の問題にも対応できる食品である。さらに、いろいろな宗教上の問題で制限されている動物性タンパク質に対して問題の無い食品として全世界で食することが可能となる。
【発明を実施するための最良の形態】
【００１７】次に本発明に係わる製品の製造方法における最良の実施の形態を例示する。
まず、大豆と穀類を洗浄して浸漬する。この時、大豆と穀類の比率は、大豆が１０％〜５０％とし、色合いや食感により調整する。また、穀類としては、米や紫黒米を利用する。浸水した原料は、８５℃〜１００℃で３０分から１時間煮沸した後、粉砕し成型機に入れて成型しインジェクション方式で色合いを調整し加圧成型する。ここで、インジェクション方式を採用するのは、表面だけでなく内部までも肉やステーキと同じ色合いにするためである。【００１８】加圧成型で出来た製品は、殺菌のためチルド食品の殺菌法に準じ１００℃以上で殺菌する。殺菌したものを真空包装することにより、長期間保存が可能となる。
【産業上の利用の可能性】
【００１９】牛肉のＢＳＥの問題や鳥インフルエンザの問題、海洋汚染の問題など動物性タンパク質に代わる安全で安価で安心して食する植物性タンパク質として肉やステーキと同じような感覚で食べられるばかりでなく、ハンバーグや肉団子などの原料として広く動物性タンパク質に代わる食品として活用されることが出来る。
【００２０】本製品は、植物性タンパク質を利用した食品であるので、宗教的制限のない食品で世界中であらゆる宗教の人も食することが出来る。
【００２１】同時に世界的に問題になっている肥満の問題の解消にも効果的な食品である。
(57)【要約】【課題】  本発明は、玉葱漬に紫蘇酵素液を加えた、塩分の少ない、長期に保存が可能な漬物の玉葱紫蘇酵素漬の製法を提供する。【解決手段】  玉葱を縦方向に６分割切りにして、塩、酢を加えて、攪拌し続け、汁気を絞って、さらに砂糖、風味だし粉を加えて、一定の期間後、紫蘇酵素液を加えて仕上げると塩分が減少し、長期に保存ができることを特長とする玉葱紫蘇酵素漬の製法。【選択図】  図４
2007020546.tif 000002
【特許請求の範囲】
【請求項１】
玉葱を縦方向に６分割切りにして、塩、酢を加えて、攪拌し続け、汁気を絞って、さらに砂糖、風味だし粉を加えて、一定の期間後、紫蘇酵素液を加えて仕上げると塩分が減少し、長期に保存ができることが特長の玉葱紫蘇酵素漬の製法。
【発明の詳細な説明】
【技術分野】
【０００１】  本発明は、玉葱漬に紫蘇酵素液を加えた、塩分の少ない、長期に保存が可能な漬物の玉葱紫蘇酵素漬の製法に関するものである。
【背景技術】
【０００２】  従来、玉葱の漬物は、腐敗し易いという定評があった。
【発明の開示】
【発明が解決しようとする課題】
【０００３】  それには次のような問題点があった。
玉葱の漬物は、塩分が多い割に、順次味が変り、長期間保存することはむずかしかった。
本発明は、以上の問題点を解決するためのものである。
【課題を解決するための手段】
【０００４】  玉葱を縦方向に６分割切りにする。
玉葱を塩、酢を加えて攪拌し、発酵させる。
攪拌する期間は約１２日間である。
一定の期間後、汁気を絞って、紫蘇酵素液を加えて漬あげる。
玉葱６割切りと、調味料の配分量、漬ける期間は３６日である。その期間は厳守する。
以上を特徴とする玉葱紫蘇酵素漬の製法である。
【発明の効果】
【０００５】  当初の１２日間の攪拌作業で長期間保存することが可能になった。
玉葱を縦方向に６分割切りにしたことで、漬ける際あつかい易く、形くずれしない。
ほのかな紫蘇のかおりと、色が加わり、漬けあがりそのまま食卓にだすことができる。
きざみにしてお茶づけに最適な食材である。
焼肉の添付など、多様に使える。
【発明を実施するための最良の形態】
【０００６】  以下、本発明の実施の形態を説明する。
（イ）玉葱の薄皮、芽、根を除去して、縦方向に６分割切りする。
（ロ）漬用器に、切った玉葱を入れて、塩、酢各々６％加えて混合する。
１日１回約１２日間攪拌し続ける。
（ハ）１２日後、布袋に入れて汁気を絞る。
絞り汁捨てる。
絞った玉葱は漬用器にもどして、砂糖６％風味だし粉３％加えて、混合する。
風味だし粉は、しいたけ、かつお、こんぶのエキスを、乾燥させて粉状にしたもの      を使用する。
（二）約１２日後、紫蘇酵素液６％加える。
紫蘇酵素液は、紫蘇１に対して、砂糖１０％、酵母３％、クエン酸３％混合して約    ６ヵ月後、液体を絞り出す。
漬ける期間の全工程は約３６日である。
図１は、本発明の玉葱と縦方向に６分割切りした説明図で、（ａ）は玉葱、（ｂ）は縦方向に６分割した玉葱、（ｃ）は６分割した玉葱である。
図２は、本発明の切った玉葱を漬用器に入れて、塩、酢を加えて攪拌する説明図で、（ａ）は切った玉葱を漬物器に入れ、塩、酢を加える。（ｂ）は攪拌で、約１２日間続ける。
図３は、本発明の玉葱漬を布袋に入れて、汁気を絞り、器に戻して調味料を加えた説明図で、（ａ）は約１２日後攪拌した玉葱を袋物に入れて、汁気を絞る。（ｂ）は汁気を絞った玉葱を漬物器に戻して風味をだし、砂糖を加える。
図４の（ａ）、（ｂ）、（ｃ）、（ｄ）は、本発明の紫蘇酵素液作成と、玉葱漬に酵素液を加え、出来上りの説明図である。
本発明は、以上の構成よりなっている。
本発明の実施の形態では、玉葱紫蘇酵素漬の製法をあげたが、紫蘇酵素液は、他種の漬物や無塩のため菓子、飲料にも利用できる。
【図面の簡単な説明】
【０００７】
【図１】  本発明の玉葱と縦方向に６分割切りした説明図である。
【図２】  本発明の切った玉葱を漬用器に入れて、塩、酢を加えて攪拌する説明図である。
【図３】  本発明の玉葱漬を布袋に入れて、汁気を絞り、器に戻して調味料を加えた説明図である。
【図４】  本発明の紫蘇酵素液作成と、玉葱漬に酵素液を加え、出来上りの説明図である。
【符号の説明】
【０００８】    １  玉葱
２  漬用器
３  塩
４  酢
５  風味だし粉
６  砂糖
７  紫蘇
８  酵母
９  クエン酸
１０  紫蘇酵素液
１１  絞り汁
【図１】
2007020546.tif 000003
【図２】
2007020546.tif 000004
【図３】
2007020546.tif 000005
【図４】
2007020546.tif 000006
(57)【要約】【課題】  ナッツ，ハーブ，及び蜂蜜の有する栄養とうま味を活かし、健康的に美味しい脳細胞に働きかける、ハーブの加工食品の製造方法を提供する。【解決手段】  ブドウ糖を含有する蜂蜜と有効成分を含む多種のハーブをドッキングさせる撹拌時に、ナッツペーストにより多種のハーブ密度の均一化を計り味覚的にも美味しく栄養の吸収を高める加工食品の製造方法。【特許請求の範囲】
【請求項１】
本発明はハーブのブレンドと蜂蜜とのドッキングのみならずナッツを加えることを特長とし、味覚的にもハーブの味覚を和らげ多種のハーブのブレンドを食べやすく脳細胞に有効に加工する製造方法。
【請求項２】
脳を活性化するハーブ，ナッツ，白レモン，赤レモン，香辛料を脳細胞に有効な蜂蜜と組み合わせることにより食べやすく脳を活性化させる加工食品。
【請求項３】
適量の割合で調合したハーブと蜂蜜混合製品の多種のハーブを蜂蜜と混合撹拌時に発生するハーブの密度の不均一を解消する製造方法。
【発明の詳細な説明】
【技術分野】
【０００１】  本発明は健康によく食べやすいハーブと蜂蜜の加工食品に関するものである。
【背景技術】
【０００２】  従来そのままハーブティーとして飲用、または食用として用いられている。【０００３】  一方蜂蜜には、果糖、ブドウ糖、蔗糖、祖蛋白質、灰分等が含まれており、これらは古くから食されている。
【発明の開示】
【発明が解決しようとする課題】
【０００４】  従来から脳細胞がブドウ糖を必要とする事は知られているが、多種の有効成分を含むハーブと共に効率よく美味しく食する物は今までに例を見ない。【０００５】  多種のハーブを蜂蜜と混合撹拌時に発生するハーブの密度の不均一を解消する。
【課題を解決するための手段】
【０００６】  本発明者はブドウ糖を含有する蜂蜜と有効成分を含む多種のハーブをドッキングさせ、ナッツを加え味覚的にも美味しく栄養の吸収を高めようとし、本発明を成すに至った。
【発明の効果】
【０００７】  本発明は多種のハーブと蜂蜜とのドッキングのみならずナッツを加えることでハーブ密度を均一化し、味覚的にもハーブの味覚を和らげ多種のハーブを食べやすく、脳細胞に有効な加工食品を提供できる。【０００８】  本製品で１００枡計算を１５人の方に実施した結果スピードアップする結果が得られた、集中力がアップすると百枡計算の実施者は体験談を語る。
【発明の実施する最良の形態】
【０００９】  適量の多種のハーブ，白レモン，赤レモン，香辛料を粉砕し粉状にする。
【００１０】  次にこれを蜂蜜と混合撹拌時に発生するハーブの密度の不均一を解消する為、まずペースト状にしたナッツに加え混合する。
【００１１】  次にハーブが均一に混合されたところに、蜂蜜を徐々に加え撹拌する。
【００１２】  さらに、１週間ほど寝かしたものを再度撹拌することにより、味覚的にまろやかさをまし、多種のハーブの味わいが１つにまとまり、味と香りのハーモニーをもたらす。
(57)【要約】【課題】使用済医療器具の原型を変え滅菌処理することで、滅菌効率を向上させることを可能とする。【解決手段】医療器具を破砕・粉砕・曲げ等の処理を行い、滅菌処理に供する。【選択図】  図１
2007020932.tif 000002
【特許請求の範囲】
【請求項１】
医療器具の滅菌洗浄処理において、処理を行う対象物の原型を留めることなしに滅菌処理を行うことで滅菌効率を向上させる滅菌洗浄処理方法。
【発明の詳細な説明】
【技術分野】
【０００１】
本発明は、医療器具を効率よく滅菌洗浄処理するための滅菌洗浄方法に関するものである。
【背景技術】
【０００２】
従来の医療器具の滅菌洗浄処理は、医療器具の再使用が目的のものであり、医療器具の性能を損なわせることなく確実に病原菌等を滅菌させるものである為、医療器具の原型を留めて滅菌洗浄処理することは大前提であった。
【特許文献１】特開２００５−８１０７２号公報
【発明の開示】
【発明が解決しようとする課題】
【０００３】
感染性廃棄物等の再利用を進める時、使用済医療器具の完全滅菌は必須事項であるが、従来のような医療器具の原型を留めた滅菌洗浄処理方法では多種多様の医療器具の完全滅菌は不可能である。
【課題を解決するための手段】
【０００４】
本発明は、曲げ、切断、破砕等など医療器具の原型を留めることなく変形させ、滅菌洗浄処理を行うことを最も主要な特徴とする。
【発明の効果】
【０００５】
本発明の滅菌洗浄処理方法は、複雑な形状の医療器具の滅菌処理にも適用することが可能であり、感染性廃棄物の危険性を取り除き、一般廃棄物にすることが出来る。
【発明を実施するための最良の形態】
【０００６】
電解水を滅菌媒体として用い、医療器具である採血管を切断した後、滅菌洗浄処理を行うことで、滅菌効率を向上することが出来た。
【実施例１】
【０００７】
図１は本滅菌洗浄処理方法の概念図である。前処理段階と滅菌洗浄処理段階で構成される。
【０００８】
使用済医療器具は先ず前処理段階に入る。この段階は、投入された使用済医療器具を切断・破砕・曲げ等を行う工程であり、医療器具の原型を変化させる処理をする。
【０００９】
前処理段階を経た使用済医療器具は、次に滅菌洗浄処理段階へと入る。この段階は、前処理段階で原型を無くした医療器具が滅菌のための洗浄処理をされる工程であり、医療器具に付着している病原菌を完全に死滅化させ、使用済医療器具を安全なものへと処理する。
【００１０】
前処理段階と滅菌洗浄処理段階は一連の流れのみでなく、同時進行も在り得る。
【００１１】
（前処理段階の措置）
図２は採血管を切断したそれぞれの形状を示す。採血管は１０ｍｌのものを用い、また切断は自動糸鋸機で行った。
【００１２】
（滅菌洗浄処理段階の措置）
（１）汚染物を使用した洗浄処理実験
トマトケチャップを洗浄効率判別マーカーに、水道水２４リットル（水温１５℃）を洗浄媒体に用い家庭用洗濯機を使い、切断形状の違いによる洗浄効果の違いを検討した。結果を図３に示した。
【００１３】
図３は、図２で得た切断形状の洗浄効率を示したものである。コントロール（切断処理していない採血管）の洗浄時間は３００秒と１２０秒であった。一方、前処理段階で切断された採血管の洗浄時間はどれも３０秒であった。採血管はコントロールも含めて全ての場合において５０本であった。結果から、前処理で切断した採血管の方が高い洗浄効率を示すことが判明した。
【００１４】
（２）細菌を用いての滅菌洗浄処理実験
Ｅｓｃｈｅｒｉｃｈｉａ  ｃｏｌｉ  ＡＴＣＣ１０７９８  Ｋ−１２を汚染細菌として採血管に付着させ、滅菌効率判別にはＨＡＣＥＰメイト（大腸菌・大腸菌群用、F&Sリサーチセンター）を、洗浄媒体に強酸性電解水（ホシザキ電解水生成装置ＲＯＸ−１０ＷＡ）を用い採血管の滅菌洗浄試験を行った。採血管は図２の切断形状のうち、先端切りの形状のものを用いた。採血管は５０本と２００本がそれぞれの実験に用いられ５０本の滅菌洗浄処理の時は強酸性電解水の温度が１０℃、２００本の時は４５℃とした。また洗浄時間は両実験とも３０秒とした。また、強酸性電解水は２４リットル用い、滅菌洗浄は家庭用洗濯機で行った。結果を図４に示した。
【００１５】
図４は、Ｅ．ｃｏｌｉ  Ｋ−１２で汚染された採血管の強酸性電解水での滅菌洗浄処理結果を示している。５０本の滅菌洗浄処理では１００％の滅菌処理が達成した。２００本においては９９．８％という値が出たものの、実験的エラーだと考えられるので200本の滅菌洗浄処理においても完全に滅菌処理が出来ることがわかった。
【産業上の利用可能性】
【００１６】
本滅菌洗浄処理方法により、病院等の医療機関は感染性廃棄物を一般廃棄物として排出することが可能となり、廃棄物処理コストの削減に繋がる。また、排出・回収・運搬時における感染性廃棄物からの二次感染が低減できる。さらに、滅菌処理された医療器具はマテリアルリサイクルの対象となり、各産業への供給可能な原料に成り得る。
【図面の簡単な説明】
【００１７】
【図１】本滅菌洗浄処理方法の全体を説明した概念図である。
【図２】前処理段階での、採血管の切断形状を示した説明図である。（実施例１）
【図３】採血管の切断形状による洗浄効率を示した図である。（実施例１）
【図４】採血管の滅菌洗浄処理の洗浄効率を示した図である。（実施例１）
【図１】
2007020932.tif 000003
【図２】
2007020932.tif 000004
【図３】
2007020932.tif 000005
【図４】
2007020932.tif 000006
(57)【要約】【課題】  耐酸性に優れ且つ表面硬度の高い真珠を養殖段階で得られるようにする。【解決手段】  所定濃度の弗素を含む養殖槽内において、体内に核を入れた二枚貝を養殖することにより、前記二枚貝の体内に弗化カルシウムを含んだ真珠を養殖するようにして、二枚貝を起源とする弗化カルシウムを含んだ真珠（耐酸性が高く且つ表面硬度も高い養殖真珠）が得られるようにしている。【選択図】        なし【特許請求の範囲】
【請求項１】
所定濃度の弗素を含む養殖槽内において、体内に核を入れた二枚貝を養殖することにより、前記二枚貝の体内に弗化カルシウムを含んだ真珠を養殖することを特徴とする真珠の養殖方法。
【請求項２】
前記養殖槽における弗素の濃度を５ｐｐｍ前後に調整したことを特徴とする請求項１記載の真珠の養殖方法。
【請求項３】
請求項１および２のいずれか一項記載の真珠の養殖方法により養殖された養殖真珠。
【発明の詳細な説明】
【技術分野】
【０００１】
本願発明は、耐酸性を有する養殖真珠を得る真珠の養殖方法およびこの養殖方法により養殖された養殖真珠に関するものである。
【背景技術】
【０００２】
従来から知られている真珠の養殖方法としては、ドブ貝の貝殻から作られた小真円形状の核をアコヤ貝の体内に入れ、このアコヤ貝を海中において養殖することにより、アコヤ貝の体内で病的現象を起こさせ、核を取り囲む真珠層形成分泌物の主成分である炭酸カルシウムと副成分の約５％に当たるコンキオリンと呼ばれる一種の蛋白質と水とで形成される輝きと厚さをもつ養殖真珠を得る方法がある。
【０００３】
なお、カルシウムを主成分とする有機宝石（例えば、真珠）を、弗化ナトリウムを含む中性もしくは弱酸性水溶液からなる浸漬液中に浸漬し、常温より高い所定温度に加温しつつ所定時間放置することにより前記有機宝石の表面に弗化カルシウムを主成分とする保護層を形成し、耐酸性が高く且つ表面硬度も高い有機宝石を得る方法が提案されている（特許文献１参照）が、この方法の場合、出来上がった有機宝石に対する処理であり、養殖段階において耐酸性が高く且つ表面硬度も高い真珠を得る方法については、鋭意調査したが、見つけることができなかった。
【０００４】
【特許文献１】特許第２８６８７３号公報。
【発明の開示】
【発明が解決しようとする課題】
【０００５】
ところが、上記のような養殖方法で得られた養殖真珠の場合、炭酸カルシウムを主成分としているため、耐酸性が低く且つ表面硬度も低いところから、使用中に光沢を失ったり、傷が付いたりすることが多く、長期間に亙って装飾性を保持することが難しいという問題があった。
【０００６】
本願発明は、上記の点に鑑みてなされたもので、耐酸性に優れ且つ表面硬度の高い真珠を養殖段階で得られるようにすることを目的とするものである。
【課題を解決するための手段】
【０００７】
本願発明では、上記課題を解決するための第１の方法として、所定濃度の弗素を含む養殖槽内において、体内に核を入れた二枚貝を養殖することにより、前記二枚貝の体内に弗化カルシウムを含んだ真珠を養殖するようにしている。
【０００８】
上記のような方法としたことにより、二枚貝を起源とする弗化カルシウムを含んだ真珠が得られた。このようにして得られた養殖真珠は、耐酸性が高く且つ表面硬度も高いものとなる。
【０００９】
本願発明では、さらに、上記課題を解決するための第２の方法として、上記第１の方法を備えた真珠の養殖方法において、前記養殖槽における弗素の濃度を５ｐｐｍ前後に調整することもでき、そのようにした場合、最適な養殖環境のもとに、耐酸性が高く且つ表面硬度も高い養殖真珠が得られる。なお、自然の海水には約３ｐｐｍの弗素が含まれているが、この濃度で養殖を行ったとしても、弗化カルシウムを含んだものとならない。しかしながら、弗素濃度を５ｐｐｍ程度まで上昇させると、弗化カルシウムを形成することができる。また、弗素濃度が７ｐｐｍ以上となると、真珠の表面に白い斑条が現れ、装飾品としての価値がなくなる。また、弗素濃度が１０ｐｐｍ以上となると二枚貝が死亡してしまい、養殖ができなくなる。
【発明の効果】
【００１０】
本願発明の第１の方法によれば、所定濃度の弗素を含む養殖槽内において、体内に核を入れた二枚貝を養殖することにより、前記二枚貝の体内に弗化カルシウムを含んだ真珠を養殖するようにして、二枚貝を起源とする弗化カルシウムを含んだ真珠が得られるようにしたので、耐酸性が高く且つ表面硬度も高い養殖真珠が得られることとなり、長期間に亙って装飾性を保持できる養殖真珠が得られるという効果がある。
【００１１】
本願発明の第２の方法におけるように、上記第１の方法を備えた真珠の養殖方法において、前記養殖槽における弗素の濃度を５ｐｐｍ前後に調整することもでき、そのようにした場合、最適な養殖環境のもとに、耐酸性が高く且つ表面硬度も高い養殖真珠が得られる。
【発明を実施するための最良の形態】
【００１２】
所定の大きさの養殖槽内に海水を入れ、その中に弗化ナトリウムを水溶液にして加え、弗素の濃度を５ｐｐｍ前後に調整する。この養殖槽内に、体内に核（例えば、ドフ貝の貝殻より作られた小真円形状の核）を入れた二枚貝（例えば、アコヤ貝）を入れて養殖を行う。すると、約６カ月程度で貝を起源とする弗化カルシウムを含んだ養殖真珠が得られた。このようにして得られた養殖真珠は、耐酸性が高く且つ表面硬度も高いものとなり、長期間に亙って装飾性を保持できる。なお、自然の海水には約３ｐｐｍの弗素が含まれているが、この濃度で養殖を行ったとしても、弗化カルシウムを含んだものとならない。しかしながら、弗素濃度を５ｐｐｍ程度まで上昇させると、弗化カルシウムを形成することができる。また、弗素濃度が７ｐｐｍ以上となると、真珠の表面に白い斑条が現れ、装飾品としての価値がなくなる。また、弗素濃度が１０ｐｐｍ以上となると二枚貝が死亡してしまい、養殖ができなくなる。
(57)【要約】【課題】ブラックバスを捕らえる捕獲籠を提供する。【解決手段】籠の両端は魚の入る入口３１になっている。入口はネット２０で塞がずに、代わりに、入口の上辺と下辺から２枚の導入ネット２１、２２を籠の内側に向けて先すぼまりに展張する。両ネットの各先端縁２１ａ、２２ａは斜め枠１３の間にピンと張って、間に隙間が生じないようにする。籠の中に入れておいた小魚を狙ってブラックバス３３が入口３１から突き進んで来た場合、通常は閉じている導入ネットの先端縁２１ａ、２２ａの間を押し広げて籠の中に侵入し、捕獲される。【選択図】図１
2007020413.tif 000002
【特許請求の範囲】
【請求項１】
籠の外面に設けた入口（３１）の対向する辺から、２枚の導入ネット（２１、２２）を籠の内側に向けて先すぼまりに展張して成り、魚が突き進んで来ると、通常は閉じている該導入ネットの先端縁同士の間を押し広げて魚が籠の中に入るように構成した魚の捕獲籠。
【発明の詳細な説明】
【技術分野】
【０００１】
本発明は、ブラックバス等の魚を捕まえる捕獲籠に関する。
【背景技術】
【０００２】
最近、ブラックバスをはじめとする外来種の魚が我国の河川や湖沼で増殖し、その結果、外来魚に捕食されて在来魚が激減している。このため、外来魚の駆除の必要性が高まっているが、外来魚の捕獲は、従来、刺し網等の網を用いているが、人手や手間かかって駆除が追いついていない。
【発明の開示】
【発明が解決しようとする課題】
【０００３】
この発明は、主にブラックバスを捕らえる捕獲籠を提供することを課題とする。
【課題を解決するための手段】
【０００４】
この発明の魚の捕獲籠は、籠の外面に設けた入口の対向する辺から、２枚のネットを籠の内側に向けて先すぼまりに展張して成り、魚が突き進んで来ると、通常は閉じている導入ネットの先端縁同士の間を押し広げて籠の中に入るように構成したものである。
【０００５】
ブラックバスを捕獲するには、籠の中に小魚などの生餌を入れて、川や池に沈めておく。ブラックバスが籠の中の獲物を見つけると、捕食しようとして籠に突進してくるが、籠の入口から突き進んで来た場合に限り、通常は閉じているネットの先端縁同士の間を押し広げて籠の中に侵入することができる。籠の中に入ったブラックバスは、小魚を捕食した後、逃げようとして籠の壁に体当たりするが、いくら体当たりしても、方向が逆なので導入ネットの先端縁同士の間を押し広げることはできない。こうしてブラックバスは捕獲される。
【発明を実施するための最良の形態】
【０００６】
この捕獲籠は、図１、図２に示すように、金属棒の骨組１０の周囲にネット２０を張って箱形に構成される。骨組１０は、底枠１１の中央対向位置に小さな輪１１ａを作り、それらの２つの輪に、合計４個のコの字枠（すなわち、左右の中央枠１２および左右の斜め枠１３）の両端をそれぞれ回動自在に支持したものである。
【０００７】
骨組１０の周囲に張られた周囲ネット２０は、左右中央枠１２の間で切れており、図２に鎖線で示すように、左右の中央枠１２を外側に倒すことで籠を開くことができ、同方向にさらに倒すことにより平たく折り畳むことができる。符号３０は左右の中央枠１２を互に固定するストッパーである。
【０００８】
箱形骨組１０の両端は魚が入る入口３１になっている。入口はネット２０で塞がずに、代わりに、入口の上辺と下辺から２枚の導入ネット２１、２２を籠の内側に向けて先すぼまりに展張する（図３）。すなわち上側の導入ネット２１は斜め枠１３の中に略上半分だけ展張し、下側の導入ネット２２は上側ネット２１と断面で見たときＶの字をなすように展張する。両ネットの各先端縁２１ａ、２２ａは斜め枠１３の間にピンと張って、間に隙間が生じないようにする（図４（Ａ））。
【０００９】
使用するときは、籠の中に数匹の体長5cmほどの生きた小魚３２を入れて、川、湖沼などに沈めておく。ブラックバスが籠の中の小魚を見つけると、捕食しようと籠に突進してくるが、通常はネット２０に遮られてしまう。しかし、ブラックバス３３が入口３１から突進して来た場合、通常は閉じている導入ネット２１、２２の先端縁２１ａ、２２ａの間を押し広げてブラックバスが籠の中に侵入することができる（図３、図４（Ｂ））。Ｖ字形に展張した２枚の導入ネット２１、２２は一方通行であり、籠の中に入ってしまったブラックバスは、逃げようとして内側から導入ネットにいくら体当たりしても、導入ネットの合わせ部分を押し広げることができない。こうしてブラックバスが捕獲される。
【図面の簡単な説明】
【００１０】
【図１】捕獲籠の斜視図である。
【図２】捕獲籠の側面図である。
【図３】捕獲籠の中央断面図である。
【図４】図３のＡ−Ａ断面図である。
【符号の説明】
【００１１】
１０  骨組
２０  周囲ネット
２１  導入ネット
２２  導入ネット
３１  入口
【図１】
2007020413.tif 000003
【図２】
2007020413.tif 000004
【図３】
2007020413.tif 000005
【図４】
2007020413.tif 000006
(57)【要約】【課題】  従来の課題は、ベットの側から見ると、当然、幼年、老齢、病気等の理由で、歯が無い、歯が弱って噛めない、よく消化できない等、固形状態の飼料が適さないベットが極めて多数存在するにかかわらず、上記幼年、老齢、病気等の理由に適応できるような飼料が全く提供されていない課題があった。【解決手段】  犬、猫等のペット用飼料として使用されている若しくは適合した各種天然食材及びその加工品、各種人工食材及びその加工品、若しくはそれらを配合、加工したものを、破砕・片粉化、煮沸、搾汁等の調理加工手段によって、ゼリー状、かゆ状の流動食状、若しくはそれらに柔らかい固形物を混在した状態に設けたものであり、上記調理加工手段の過程で必要性に応じゼラチン等のゼリー状化材を添加して設けたものである、ゼリー状のペット用飼料によって課題を解決した。【特許請求の範囲】
【請求項１】
犬、猫等のペット用飼料として使用されている若しくは適合した各種天然食材及びその加工品、各種人工食材及びその加工品、若しくはそれらを配合、加工したものを、破砕・片粉化、煮沸、搾汁等の調理加工手段によって、ゼリー状、かゆ状の流動食状、若しくはそれらに柔らかい固形物を混在した状態に設けたものであり、上記調理加工手段の過程で必要性に応じゼラチン等のゼリー状化材を添加して設けたものである、
ゼリー状のペット用飼料。
【発明の詳細な説明】
【技術分野】
【０００１】
本発明は、主として幼年、老齢、病気等のペット（主として犬、猫。以下、単にペットと記す。）用の飼料として、それらのペットが、柔らかで歯に優しいため、舐め、すすり、或いは飲むようにして、噛まないで、全く抵抗なしに快適に摂取することができる、「ゼリー状、かゆ状の流動食状、若しくは、それらに柔らかい固形物を混在した状態の飼料」（以下、単に「ゼリー状のペット用飼料」と記す。）を開発提供するものである。
【背景技術】
【０００２】
近時、主として一般家庭で飼育されているベット用の飼料として極めて多数の業者によって極めて多数種のものが市販されている。
それらの飼料は、飼料として使用されている若しくは適合した各種天然食材及びその加工品（主として、牛、豚、鳥、馬等の肉類、魚肉類、牛、豚、鳥、馬、魚等の骨・骨粉 、米麦大豆その他の穀類、各種野菜、各種果実、各種動植物性繊維食品、その他。）、各種人工食材及びその加工品（例えば、ビタミン、カロティン、プロティンその他の栄養薬剤、各種医薬品、その他を添加。）、及び、それらを配合、加工したものである。
【０００３】
ところが、上記従来の飼料は、その形状及び状態から見ると、その硬さ軟らかさや大きさ等を多少調節して作られているにしても、全て、犬、猫等が食べやすい大きさの所謂固形飼料（大き目の粒状、ペレット状、ステック状、その他。）に類するものだけが提供されている。
【０００４】
一方、ベットの側から見ると、それらは飼主である人間と同じく、当然、幼年、老齢、病気等の理由で、歯が無い、歯が弱って噛めない、よく消化できない等、固形状態の飼料が適さないベットが極めて多数存在し、また、今後間違いなく急増するにかかわらず、特に一般家庭用のベット用の飼料として、上記幼年、老齢、病気等の理由に適応できるような飼料が全く提供されていないという大きな課題があった。
【発明の開示】
【発明が解決しようとする課題】
【０００５】
そこで、本発明は、上記従来の主として固形状態の飼料と平行して若しくはそれらに代えて、主として幼年、老齢、病気等のベット用の飼料として、それらのベットが、柔らかで歯に優しいため、舐め、すすり、或いは飲むようにして、噛まないで、全く抵抗なしに快適に摂取することができる、ゼリー状のペット用飼料を開発提供することによって、上記従来の課題を解決したものである。
【課題を解決するための手段】
【０００６】
即ち、本発明は、犬、猫等のペット用飼料として使用されている若しくは適合した各種天然食材及びその加工品、各種人工食材及びその加工品、若しくはそれらを配合、加工したものを、破砕・片粉化、煮沸、搾汁等の調理加工手段によって、ゼリー状、かゆ状の流動食状、若しくはそれらに柔らかい固形物を混在した状態に設けたものであり、上記調理加工手段の過程で必要性に応じゼラチン等のゼリー状化材を添加して設けたものである、ゼリー状のペット用飼料によって課題を解決したものである。
【発明の効果】
【０００７】
現在、幼年、老齢、病気等の理由で、歯が無い、歯が弱って噛めない、よく消化できない等、固形状態の飼料が適さないベット主として犬、猫が極めて多数存在し、また、今後間違いなく急増するにかかわらず、特に一般家庭用の飼料として、上記幼年、老齢、病気等の理由に適応できるような飼料が全く提供されていないが、本発明は、それらのペット用の飼料として、それらのペットが、柔らかで歯に優しいため、舐め、すすり、或いは飲むようにして、噛まないで、全く抵抗なしに快適に摂取することができる、ゼリー状、かゆ状の流動食状、若しくは、それらに柔らかい固形物を混在した状態の飼料を提供できる優れた特徴がある。
【実施例】
【０００８】
飼料として使用されている若しくは適合した各種天然食材及びその加工品（主として、牛、豚、鳥、馬等の肉類、魚肉類、牛、豚、鳥、馬、魚等の骨・骨粉 、米麦大豆その他の穀類、各種野菜、各種果実、各種動植物性繊維食品、その他。）、各種人工食材及びその加工品（例えば、ビタミン、カロティン、プロティンその他の栄養薬剤、各種医薬品、その他を添加。）、及び、それらを配合、加工したものを、破砕・片粉化、煮沸、搾汁等の調理加工手段によって、ゼリー状、かゆ状の流動食状、若しくは、それらに柔らかく小さ目の固形物を混在した状態に製したものであり、調理加工手段の過程でゼリー状化を促進するために、必要に応じて、ゼラチン、寒天、ペクチン、グルテン等のゼリー状化促進材を添加して設けたものである、ゼリー状のペット用飼料。
【０００９】
また、本ゼリー状のペット用飼料を提供する場合の包装手段はプラスチック容器・袋詰、缶詰、瓶詰、若しくは、１〜数食分をアルミラミネートフイルムのパッケージに封入したもの等、任意である。
(57)【要約】【課題】モータのそれを搭載するシステムへの取り付け易さを向上させるとともに、モータをシステムに取り付ける際に要する材料、工数を低減したブラシレスモータを提供する。【解決手段】ロータとステータと駆動コイルとを備えたモータ部と前記モータを駆動する回路部とを電気的かつ機械的に接続したブラシレスモータにおいて、前記ブラシレスモータ本体の底面複数箇所に窪み３を設け、その窪み３にブラシレスモータを搭載するシステムに固定するための取付金具４を装着する構成とする。【選択図】図１
2007020363.tif 000002
【特許請求の範囲】
【請求項１】
ロータとステータと駆動コイルとを備えたモータ部と前記モータ部と電気的かつ機械的に接続した回路部とを備えたブラシレスモータにおいて、前記ブラシレスモータ本体底面（回路側）の任意の複数箇所に窪みを設け、前記窪みにブラシレスモータ本体とモータを搭載するシステムとを固定するための金具を取り付けることを特徴とするブラシレスモータ。
【請求項２】
取付金具にアタッチメントを接続することによりブラシレスモータを搭載するシステムに接続できることを特徴とする請求項１記載のブラシレスモータ。
【発明の詳細な説明】
【技術分野】
【０００１】
本発明は、モータ部と回路部とを備えたブラシレスモータに関する。
【背景技術】
【０００２】
従来、モータを、それを搭載するシステムに取り付ける際、モータ外周にテープ状の金属板を巻きつけ、その金属板にシステムに固定するための取付金具をねじ止めなどで装着し、モータをシステムに固定する方法が採用されていた。(例えば、特許文献１参照)。
【０００３】
また、モータとそれを搭載するシステムそれぞれの形状に合わせた取り付け部材をモータとシステムの両方に装着し、さらに両方の取り付け部材をねじ止めして固定する方法が知られている。（例えば、特許文献２参照）
【特許文献１】特開平５−１８０４９８号公報
【特許文献２】特開平８−２１４４８５号公報
【発明の開示】
【発明が解決しようとする課題】
【０００４】
図５は、従来のブラシレスモータにシステム搭載用の金具を固定した外観図である。
【０００５】
上記従来の構成によれば、モータ外周に巻きつけるテープ状の金属板の大きさをモータ径ごとに変更せねばならず、多くの材料と工数を要していた。
【０００６】
また、モータとそれを搭載するシステムそれぞれの形状に合わせた取り付け部材を用いる場合は、それぞれについて部品の設計、加工が必要であった。
【課題を解決するための手段】
【０００７】
本発明は、上記課題を解決するものであり、ブラシレスモータ本体底面に複数箇所の窪みを設け、その窪みにモータを搭載するシステムに取り付けるための金具を直接装着することで、簡便かつ低価格にシステムに取り付けられるブラシレスモータを得るものである。
【発明の効果】
【０００８】
本発明のブラシレスモータによれば、取付金具をブラシレスモータ本体に簡便に取り付けることが可能なため、従来モータ本体に巻きつけていたテープ状の金属板が不要であり、また、モータやシステム側の形状に合わせた専用の取り付け部材も不要である。
【０００９】
また、取付金具にアタッチメントを装着することにより、システム側の取り付け形状に簡単に合わせることが可能なため、取付金具の種類を増やすことなく、あらゆる形状のシステムに対応することが可能である。
【００１０】
上記のように、本発明は、取り付けに必要な材料、工数を低減するとともに、あらゆる機器にフレキシブルに搭載可能なブラシレスモータを提供することができる。
【発明を実施するための最良の形態】
【００１１】
ロータとステータと駆動コイルとを備えたモータ部と前記モータを駆動する回路部とを機械的に接続したブラシレスモータにおいて、前記ブラシレスモータ本体の底面複数箇所に窪みを設け、その窪みに前記ブラシレスモータを、搭載するシステムに固定するための取付金具を装着する構成とする。
【実施例１】
【００１２】
図１、図２は、本発明の実施例１を示す図である。
【００１３】
図１において、モータ部１と回路部２は電気的かつ機械的に接続されブラシレスモータ本体を構成し、このブラシレスモータ本体の底面（回路部２側）に、複数個の窪み３を設け、その窪みに取付金具４を装着している。
【００１４】
このように、取付金具を直接ブラシレスモータ本体に取り付けることにより、従来必要とされていたテープ状の金属板で取付金具を固定する必要がなく、材料、工数の削減が可能である。
【００１５】
なお、ブラシレスモータ本体底面の窪み３は図１、図２では３箇所となっているが、２箇所および４箇所以上でもよいことは言うまでもない。
【００１６】
また、本実施例ではブラシレスモータのモータ部１および回路部２が筒状の構成のものとして説明したが四角柱構成としてもよいことはいうまでもない。
【実施例２】
【００１７】
実施例２について図３および図４を用いて説明する。
【００１８】
図３において、ブラシレスモータ本体底面（回路部２側）に複数個の窪み３を設け、その窪みに取付金具４を装着している。このとき、取付金具４のみでは、モータを搭載するシステムに固定できない場合や、システム側の取り付け形状が丸形状の場合にアタッチメント５を使用する。また、システム側の取り付け形状が四角の場合には、図４に示すアタッチメント６を使用する。
【００１９】
このように、システム側の形状が異なる場合でも、アタッチメントの形状をシステムの形状に対応させることにより、取付金具４の形状を変更することなく、あらゆるシステムに簡単に搭載可能なブラシレスモータを提供することができる。
【００２０】
なお、本実施例では、アタッチメントは丸形状と四角形状で説明をしたが、多角形や楕円の形状でもよいことはいうまでもない。
【産業上の利用可能性】
【００２１】
本発明のブラシレスモータは、モータを搭載するシステムに固定するための取付金具の材料の低減、取り付け時の工数の低減に最適であり、シロッコファンにブラシレスモータを使用する用途などにも有用である。
【図面の簡単な説明】
【００２２】
【図１】本発明の実施例１におけるブラシレスモータの斜視図
【図２】本発明の実施例１におけるブラシレスモータの底面図
【図３】本発明の実施例２における丸型アタッチメントの説明図
【図４】本発明の実施例２における角型アタッチメントの説明図
【図５】従来のブラシレスモータの形状斜視図
【符号の説明】
【００２３】
１  モータ部
２  回路部
３  ブラシレスモータ本体底面の窪み
４  取付金具
５、６  アタッチメント
１１  従来のモータ本体
１２  テープ状の金属板
１３  取付金具
【図１】
2007020363.tif 000003
【図２】
2007020363.tif 000004
【図３】
2007020363.tif 000005
【図４】
2007020363.tif 000006
【図５】
2007020363.tif 000007
(57)【要約】      （修正有）【課題】理学診療用器具における超音波診断装置で、測定する際の接触媒質塗布、拭き取り及び測定清掃作業の簡略化、時間の短縮、さらに医師等への労力の軽減。【解決手段】測定部位及び接触袋体に、噴霧器で液体を接触媒質として吹き付け、測定を行う。測定後は、接触媒質の液体が、すぐに乾くため、拭き取りの必要がなくなり、従来使用していたゼリー等のゲル状の粘着物のように、べとべとした不快感がなくなる。また、装置の清掃も容易になる。【選択図】  図１
2007020668.tif 000002
【特許請求の範囲】
【請求項１】
理学診療用器具における超音波骨密度測定装置を含む超音波診断装置において、水溶性、油性及び、混合物を含む液体を測定部位と接触袋体とを密着させる接触媒質として用いることを特徴とする接触媒質。
【請求項２】
理学診療用器具における超音波骨密度測定装置を含む超音波診断装置において、水溶性、油性及び、混合物を含む液体を噴霧器で測定部位に吹き付けて測定することを特徴とする塗布手法。
【発明の詳細な説明】
【技術分野】
【０００１】
本発明は、理学診療用器具における超音波診断装置に使用する液体性接触媒質に関するものである。
【背景技術】
【０００２】
従来超音波診断装置では、測定の際に測定部位と接触袋体との接触媒質として、ゼリー等のゲル状の粘着物を手で塗り込み塗布していたが、検診時のように短い限られた時間で、大人数の測定をしなければならない場合には、一人一人の足に塗ることは、医師及び被検者等に負担のかかるものであった。また、被検者にとっても測定後にゼリーを拭き取る必要があり手間のかかるものであった。
【０００３】
発明人等は、超音波探触子に固着した接触装置と測定部の接触手段として、シートに接触媒質（ゼリー、油、アルコール）を付着させた、使い捨て接触媒質付着シートを、さらに、発明人等は、接触媒質（ゼリー）を簡易に塗り込む装置として、超音波骨密度測定に使用する接触媒質（ゼリー）塗布装置も提案している。
【特許文献１】特開２００３−６１９６０号公報
【特許文献２】特開２００５−１１８０６５公報
【発明の開示】
【発明が解決しようとする課題】
【０００４】
超音波による測定の際に、超音波の通りをよくするためにゼリーを塗布する必要があったが、測定毎に測定部位への塗布および測定装置の清掃が必要となり時間がかかるため、特に、検診時のように大人数の測定をしなければならない場合など、医師等にとって負担のかかるものであった。
【０００５】
また、ゼリーを塗布した場合、拭き取る際に手間がかかるという問題があり、特に、大人数の測定をする検診等の場合、一人毎に時間がかかりすぎるという問題もあった。さらに、紙や布等で拭き取る必要があったため、経済的な負担となるという問題があった。
【課題を解決するための手段】
【０００６】
本発明は、接触媒質として、液体（例えば、アルコール、防腐剤及び混合物）を噴霧器により測定部位及び接触袋体へ塗布することにより、測定の際の接触媒質塗布作業の簡易化、時間の短縮、さらに、医師等への労力の軽減を目的とするものである。
【発明の効果】
【０００７】
例えば、踵を測定する超音波骨密度測定器は、接触袋体の形状が、測定部位に密着させる軟質構造であるため、液体の塗布で十分可能となる。
【０００８】
液体（例えば、アルコール、防腐剤及び混合物）を、噴霧器を使用して測定部位に吹き付けることにより、測定の際の作業が簡略化され、また、接触媒質の塗布や拭き取り等の清掃作業にかかる時間が短縮されるため、医師等の負担も軽減される。さらに、大人数を測定するイベントや検診等のときには、短時間で大人数の測定をすることができる。
【０００９】
噴霧器により接触媒質を吹き付ける簡易なものとなるため、各々の人が同じように接触媒質を塗布することができる。
【００１０】
また、液体を使用することで、測定後すぐに液体が短時間で乾燥することから、拭き取る手間が省け、さらには、拭き取りのための紙や布が不必要となり、経済的負担も軽減される。
【００１１】
さらに、従来使用していたゼリー等のゲル状の粘着物のように、測定部位へ塗布した時のベタベタとした不快感がなくなる。
【発明を実施するための最良の形態】
【００１２】
本発明の最良の形態は、理学診療用器具における超音波診断装置において、測定の際に噴霧器により液体（例えば、アルコール、防腐剤及び混合物）を、人体の測定部位及び装置の接触袋体に吹き付けることで塗布し、この液体を測定部位に十分に馴染ませ測定をする。
【実施例１】
【００１３】
本発明を、踵を測定部位とした場合を例に、図面を用いて説明すると、図１は接触媒質塗布の様相を示したものであり、１は接触媒質である液体が入った噴霧器、２は測定部位、３は接触媒質を示している。また、図２は踵の超音波診断による測定の様相を示しており、４は接触袋体、５は超音波診断装置を示している。
【００１４】
超音波診断装置で測定する際に、超音波を安定して送波するように、図１で示すように、噴霧器１で接触媒質３を、測定部位２及び超音波診断装置５の接触袋体４に液体を測定部位に吹き付けて、十分に馴染ませてから測定を行う。
【００１５】
測定後は、接触媒質である液体が短時間で乾燥するため、紙や布等で拭き取る必要はない。
【図面の簡単な説明】
【００１６】
【図１】本発明の接触媒質塗布の様相（踵を測定部位とした場合）を示す説明図である。
【図２】踵を測定部位とした場合の測定の様相を示す説明図である。
【符号の説明】
【００１７】
１  噴霧器
２  測定部位
３  接触媒質
４  接触袋体
５  超音波診断装置
【図１】
2007020668.tif 000003
【図２】
2007020668.tif 000004